(57)【要約】【課題】分包紙の巻回状態を高めることができる分包紙ロールを提供すること。【解決手段】分包紙ロール１を紙製の内筒２および外筒５を有する２層構造に構成したので、厚さ寸法が小さな内筒２および外筒５に内切欠部３および外切欠部６を別個に打抜加工した後に両者を一体化することができる。このため、内筒２および外筒５に「ばり」状の加工残りが発生し難くなるので、分包紙が加工残りに乗上げた状態に局所的に膨らんで巻回されることがなくなる。しかも、回転軸の突部が嵌合される内切欠部３の幅寸法を大きく設定し、突部の紙切れ検出ピンが挿入される外切欠部６の幅寸法を小さく設定した。このため、分包紙が外切欠部６内に垂れ下がることがなくなるので、総じて分包紙の巻回状態が高まる。【選択図】  図１
2004210491.tif 000002
【特許請求の範囲】
【請求項１】
薬剤分包装置の回転軸の外周面に嵌合される紙製の内筒と、
前記内筒に設けられ、前記回転軸の突部に嵌合される内切欠部と、
前記内筒の外周面に前記内筒とは別体で設けられ、分包紙が巻回される紙製の外筒と、
前記外筒に前記内切欠部の外周部に位置して設けられ、前記突部の紙切れ検出ピンが挿入される外切欠部とを備え、
前記外切欠部の周方向の幅寸法は、前記内切欠部に比べて小さく設定されていることを特徴とする分包紙ロール。
【請求項２】
内筒の一端面は、内筒の長さ寸法を外筒に比べて短く設定することに基づいて外筒内に収納され回転軸のロックピンに係合することに基づいて内筒を抜止めする抜止部として機能することを特徴とする請求項１記載の分包紙ロール。
【請求項３】
外筒の両端部には、複数の貫通孔が設けられ、
前記各貫通孔内には、永久磁石が装着されていることを特徴とする請求項１〜２のいずれかに記載の分包紙ロール。
【発明の詳細な説明】
【０００１】
【発明の属する技術分野】
本発明は、分包紙が巻回される分包紙ロールに関する。
【０００２】
【従来の技術】
図４は上記分包紙ロール１００の従来構成を示すものである。この分包紙ロール１００は薬剤分包装置の回転軸の外周面に嵌合されるものであり、分包紙ロール１００の一端部には切欠部１０１が形成され、切欠部１０１内には回転軸の突部が嵌合されている。この突部には紙切れ検出ピンが装着されており、分包紙ロール１００から分包紙１０２が引出されて無くなったときには紙切れ検出ピンが突出することに基づいて紙切れが検出される。
【０００３】
【発明が解決しようとする課題】
上記従来構成の場合、分包紙ロール１００として紙製のものを製造しようとすると、切欠部１０１の打抜き時に「ばり」状の加工残り１０３が発生する。この加工残り１０３は分包紙ロール１００の厚さに起因して発生するものであり、分包紙１０２は加工残り１０３に乗上げた状態に局所的に膨らんで巻回される。しかも、分包紙１０２が切欠部１０１内に垂れ下がった状態になるので、総じて、分包紙１０２の巻回状態が悪化する。
本発明は上記事情に鑑みてなされたものであり、その目的は、分包紙の巻回状態を高めることができる紙製の分包紙ロールを提供することにある。
【０００４】
【課題を解決するための手段】
請求項１に係る発明は、分包紙ロールが紙製の内筒および紙製の外筒を有する２層構造に設けられ、内筒および外筒に幅広な内切欠部および幅狭な外切欠部が設けられているところに特徴を有する。
請求項１に係る発明によれば、分包紙ロールが紙製の内筒および紙製の外筒を有する２層構造をなしているので、厚さ寸法が小さな内筒および厚さ寸法が小さな外筒に内切欠部および外切欠部を別個に打抜加工した後に両者を一体化することができる。このため、内切欠部および外切欠部の打抜加工性が高まり、内筒および外筒に加工残りが発生し難くなるので、分包紙が加工残りに乗上げた状態に局所的に膨らんで巻回されることがなくなる。また、回転軸の突部が嵌合される内切欠部の幅寸法が相対的に大きく設定され、突部の紙切れ検出ピンが挿入される外切欠部の幅寸法が相対的に小さく設定されている。このため、分包紙が外切欠部内に垂れ下がることがなくなるので、総じて分包紙の巻回状態が高まる。
【０００５】
請求項２に係る発明は、内筒の長さ寸法が外筒に比べて短く設定されているとことに特徴を有する。
請求項２に係る発明によれば、内筒の長さ寸法が外筒に比べて短く設定されているので、内筒の一端面が外筒の一端面に対して軸方向に位置ずれした状態で外筒内に収納される。このため、内筒の一端面を回転軸のロックピンに係合することに基づいて内筒を抜止めする抜止部として機能させることができるので、紙製の内筒に特殊形状の抜止部を後加工する困難な作業を行う必要がなくなる。
【０００６】
請求項３に係る発明は、外筒の両端部に複数の貫通孔が設けられ、複数の貫通孔内に永久磁石が個別に設けられているところに特徴を有する。
請求項３に係る発明によれば、内筒を回転軸の外周面に嵌合すると、外筒の両端部が磁力で回転軸に機械的に結合される。この場合、外筒に複数の貫通孔を形成し、複数の貫通孔内に永久磁石を装着するだけで、外筒の回止部を構成できるので、紙製の外筒に特殊形状の回止部を後加工する困難な作業を行う必要がなくなる。
【０００７】
【発明の実施の形態】
以下、本発明の一実施例を図１〜図３に基づいて説明する。
１．分包紙ロール１について
内筒２は、図１に示すように、円筒状をなすものであり、紙を材料に形成されている。この内筒２の一端部には複数個（具体的には４個）の内切欠部３が周方向に等ピッチ（具体的には９０°）で形成されている。これら各内切欠部３は内筒２の成形後に内筒２に打抜加工を施すことに基づいて形成されたものであり、一端面が開口する矩形状をなしている。
【０００８】
内筒２には各内切欠部３の一端部に位置してテーパー部４が形成されている。
これら各テーパー部４は切欠部３の打抜加工時に一体成形されたものであり、内筒２の一端部から他端部に向って幅寸法が小さくなるテーパー状をなしている。
【０００９】
内筒２の外周面には円筒状の外筒５が嵌合されている。この外筒５は紙を材料に形成されたものであり、内筒２の外周面に接着されることに基づいて一体化されている。この外筒５は内筒２に比べて軸方向の長さ寸法が大きく設定されたものであり、内筒２の一端面は外筒５の一端面と同一平面上に位置し、内筒２の他端面は外筒５内に収納されている。
【００１０】
外筒５の一端部には複数個（具体的には４個）の外切欠部６が形成されている。これら各外切欠部６は内筒２の内切欠部３の外周部に位置するものであり、一端面が開口する矩形状をなしている。これら各外切欠部６は外筒５の成形後に外筒５に打抜加工を施すことに基づいて形成されたものであり、軸方向の長さ寸法Ｌが内切欠部３と同一に設定され、周方向の幅寸法Ｗが内切欠部３より小さく設定されている。
【００１１】
外筒５の一端部には円形状をなす２個の貫通孔７が形成されている。これら各貫通孔７内には円形状をなす永久磁石８が嵌合されており、各永久磁石８は貫通孔７を塞ぐように外筒５の外周面に粘着テープを貼付することに基づいて外筒５に一体化されている。これら両永久磁石８は周方向に１８０°間隔で配置されたものであり、各永久磁石８と周方向に隣接する外切欠部６との間隔は４５°に設定されている。
【００１２】
外筒５の他端部には円形状をなす２個の貫通孔９が形成されている。これら各貫通孔９内には円形状をなす永久磁石１０が嵌合されており、各永久磁石１０は貫通孔９を塞ぐように外筒５の外周面に粘着テープを貼付することに基づいて外筒５に一体化されている。これら両永久磁石１０は周方向に１８０°間隔で配置されたものであり、両永久磁石１０間を結ぶ直線が両永久磁石８間を結ぶ線分に対して直角に交差するように配置されている。
【００１３】
外筒５の外周面には、図２に示すように、分包紙１１が複数層に巻回されている。この分包紙１１は薬剤を分包するものであり、グラシン紙やセロハン紙の一面にポリエチレン等の合成樹脂を塗工することに基づいて形成されている。
【００１４】
２．薬剤分封包装置２０について
ベース２１には、図２に示すように、支持棒２２が固定されており、支持棒２２の外周部には両軸受２３を介して円筒状の回転軸２４が回転可能に装着されている。この回転軸２４は鉄等の磁性体を材料に形成されたものであり、回転軸２４の外周面には分包紙ロール１の内筒２が着脱可能に嵌合されている。
【００１５】
回転軸２４の外周面には一端部に位置して突部２５が形成されている。この突部２５は内筒２の幅広な４個の内切欠部３内に選択的に嵌合されるものであり、分包紙ロール１は複数の永久磁石８および９の回転軸２４に対する磁力に加えて突部２５および内切欠部３間の嵌合力で回転軸２４に対して周方向に移動不能に保持されている。
【００１６】
突部２５には紙切れ検出ピン２６が装着されており、紙切れ検出ピン２６はスプリング（図示せず）のばね力で外周側へ付勢されている。この紙切れ検出ピン２６は分包紙ロール１の外筒５に分包紙１１が巻回されているか否かを検出するものであり、外筒５に分包紙１１が巻回されているときには分包紙１１により押圧されることに基づいて内周側へ引込んだ紙有り状態に移動し、外筒５に分包紙１１が巻回されていないときには外周側へ突出した紙切れ状態にスプリング力で移動する。
【００１７】
回転軸２４には突部２５の反対端部に位置してロックピン２７が装着されている。このロックピン２７はスプリング（図示せず）のばね力で外周側へ付勢されたものであり、分包紙ロール１の内筒２を一端部側（内切欠部３側）から回転軸２４の外周面に嵌合すると、ロックピン２７が内筒２の内周面により押圧されることに基づいて回転軸２４内に引込んだアンロック状態に移動し、分包紙ロール１の嵌合操作が許容される。この後、内筒２がロックピン２７を通過すると、ロックピン２７がスプリング力で回転軸２４の外周面から突出したロック状態に移動することに基づいて内筒２の端面に係合し、分包紙ロール１を回転軸２４に対して軸方向に抜止めする。
【００１８】
分包紙ロール１の引出し側には、図３に示すように、送りローラ２８が配設されており、分包紙ロール１から引出された分包紙１１は送りローラ２８上にセットされている。この送りローラ２８の引出し側には２個のテンションローラ２９が配設されており、分包紙ロール１から引出された分包紙１１は両テンションローラ２９間で挟持されている。
【００１９】
両テンションローラ２９の引出し側には折曲板３０が配設されており、折曲板３０は分包紙ロール１から引出された分包紙１１を両テンションローラ２９の引出側で幅方向に２つ折りする。また、折曲板３０の上方にはホッパー３１が配設されており、分包紙１１には２つ折りされた状態でホッパー３１から薬剤が投入される。
【００２０】
折曲板３０の引出し側には加熱ローラ３２が配設されている。この加熱ローラ３２は薬剤が投入された２つ折り状態の分包紙１１をコ字状に熱溶着するものであり、加熱ローラ３２には送りモータ３３が連結されている。この送りモータ３３は分包紙ロール１の駆動源に相当するものであり、送りモータ３３の駆動時には分包紙１１が摩擦力で引出し側へ搬送されることに基づいて分包紙ロール１が回転し、分包紙ロール１から分包紙１１が引出される。
【００２１】
上記実施例によれば、分包紙ロール１を紙製の内筒２および紙製の外筒５を有する２層構造に構成したので、厚さ寸法が小さな内筒２および厚さ寸法が小さな外筒５に内切欠部３および外切欠部６を別個に打抜加工した後に両者を一体化することができる。このため、内切欠部３および外切欠部６の打抜加工性が高まり、内筒２および外筒５に「ばり」状の加工残りが発生し難くなるので、分包紙１１が加工残りに乗上げた状態に局所的に膨らんで巻回されることがなくなる。しかも、回転軸２４の突部２５が嵌合される内切欠部３の幅寸法を相対的に大きく設定し、突部２５の紙切れ検出ピン２６が挿入される外切欠部６の幅寸法を相対的に小さく設定した。このため、分包紙１１が外切欠部６内に垂れ下がることがなくなるので、総じて分包紙１１の巻回状態が高まる。
【００２２】
また、内筒２の長さ寸法を外筒５に比べて短く設定したので、内筒２の一端面が外筒５の一端面に対して軸方向に位置ずれした状態で外筒５内に収納される。
このため、内筒２の一端面を回転軸２４のロックピン２７に係合することに基づいて内筒２を抜止めする抜止部として機能させることができるので、紙製の内筒２に特殊形状の抜止部を後加工する困難な作業を行う必要がなくなる。
【００２３】
また、外筒５の両端部に複数の貫通孔７および９を設け、複数の貫通孔７および９内に永久磁石８および１０を個別に設けた。このため、内筒２を回転軸２４の外周面に嵌合すると、外筒５の両端部が磁力で回転軸２４に機械的に結合される。この場合、外筒５に複数の貫通孔７および９を形成し、複数の貫通孔７および９内に永久磁石８および１０を装着するだけで、外筒５の回止部を構成できるので、紙製の外筒５に特殊形状の回止部を後加工する困難な作業を行う必要がなくなる。
【図面の簡単な説明】
【図１】本発明の一実施例を示す図（ａは分包紙ロールを示す矢印Ｘａ視図、ｂは分包紙ロールを示す矢印Ｘｂ視図、ｃは分包紙ロールを示す矢印Ｘｃ視図）
【図２】分包紙ロールが薬剤分包装置の回転軸に装着された状態を示す断面図
【図３】薬剤分包装置の概略構成を示す図
【図４】従来例を示す図（ａは分包紙ロールを示す斜視図、ｂは分包紙の巻回状態を示す断面図）
【符号の説明】
１は分包紙ロール、２は内筒、３は内切欠部、５は外筒、６は外切欠部、１１は分包紙、７は貫通孔、８は永久磁石、９は貫通孔、１０は永久磁石、２０は薬剤分包装置、２４は回転軸、２６は紙切れ検出ピン、２７はロックピンを示している。
【図１】
2004210491.tif 000003
【図２】
2004210491.tif 000004
【図３】
2004210491.tif 000005
【図４】
2004210491.tif 000006